(57)【要約】【課題】視認困難な状態でも、位置決めピンを位置決め孔内に容易に挿入できて、シート本体を車室内へ据え付ける際にこれを迅速かつ適正に位置決めすることができる。【解決手段】  シート本体Ｓのシートレッグ１の下面に突設された位置決めピン１４と、車室の室壁Ｗに突設されてシートレッグ１の側面を当接させ、当該シートレッグ１を室壁Ｗに直交する方向で位置決めする位置決め部２と、車両ボデー側に設けられて室壁Ｗに沿う方向へ延び、当該室壁Ｗに直交する方向で位置決めされたシートレッグ）の位置決めピン１４を、これが嵌入する位置決め孔５に向けて室壁Ｗに沿う方向で案内する案内部３とを備える。上記案内部３は外周縁にガイド壁３１を形成した開放容器状に成形されて、ガイド壁３１に囲まれた底面を、位置決めピン１４の先端を当接させるガイド面３ａとなし、かつ位置決め孔５を、ガイド面３ａに開口させる。【選択図】        図１
2008062721.tif 000002
【特許請求の範囲】
【請求項１】
シート本体側と車両ボデー側とにそれぞれ設けられて互いに嵌合可能な位置決め部材と、車室の室壁に設けられて当該室壁に向かう方向への前記シート本体の移動を規制することにより当該方向で前記シート本体を位置決めする位置決め部と、室壁に向かう方向で位置決めされた前記シート本体側の位置決め部材を、前記室壁に沿った所定の範囲内での移動を許容しつつ、前記車両ボデー側の位置決め部材に向けて案内する案内部とを備える車両用シートのシートレッグの位置決め構造。  
【請求項２】
シート本体のシートレッグの下面に突設された位置決めピンと、車室の室壁に突設されてシートレッグの側面を当接させ、当該シートレッグを室壁に直交する方向で位置決めする位置決め部と、車両ボデー側に設けられて室壁に沿う方向へ延び、当該室壁に直交する方向で位置決めされた前記シートレッグの位置決めピンを、これが嵌入する位置決め孔に向けて前記室壁に沿う方向で案内する案内部とを備える車両用シートのシートレッグの位置決め構造。  
【請求項３】
前記案内部は外周縁にガイド壁を形成した開放容器状に成形されて、前記ガイド壁に囲まれた底面を、前記位置決めピンの先端を当接させるガイド面となし、かつ前記位置決め孔を、前記ガイド面に開口させた請求項２に記載の車両用シートのシートレッグの位置決め構造。
【発明の詳細な説明】
【技術分野】
【０００１】
本発明は車両用シートを車室内へ据え付ける際にこれを適正に位置決めするための位置決め構造に関する。
【背景技術】
【０００２】
図６には横跳ね上げ収納式の車両用シートを車室内へ据え付ける場合の位置決め構造の一例を示す。図６において、車両用シートのシート本体ＳにはシートクッションＳ１の一側下面に折り畳み式の板状シートレッグＬが起立姿勢で設けられ、一方、シートクッションＳ１の他側側面は、外周にコイルバネ（図示略）を配設したシートレッグ１の跳ね上げ用旋回軸１１に結合されている。シートレッグ１は、上記旋回軸１１を両端で支持するＬ型ブラケット１２と、これらブラケット１２を結合する略コ字断面のフレーム１３を備えている。そして、フレーム１３の略中央下面に位置決めピン１４が突設されている。
【０００３】
車両ボデー側の所定部には位置決め孔５を貫通形成した筒状グロメット５１が設けてあり、シート本体Ｓをバランス式のハンドクレーン等によって支持しつつ位置決めピン１４を位置決め孔５内に挿入してシートレッグ１を位置決めする。これにより、前後のブラケット１２の取付孔１２１が車体ボデー側の取付孔（図示略）に一致させられるから、これら取付孔１２１内にボルトを挿入して上記シートレッグ１を固定し、シート本体を据え付ける。
【０００４】
なお、特許文献１には、シート本体を支持するロボットアームに設けた基準ピンを、車体フロアの基準孔内に挿入することにより、シート取付部材を位置決めするようにした車両用シートが提案されている。
【特許文献１】特開平７−１８７０３６号
【発明の開示】
【発明が解決しようとする課題】
【０００５】
しかし、上記従来の位置決め構造において、十分な精度で位置決めしようとすると、位置決めピンに対する位置決め孔の余裕代を小さくする必要があるため、位置決めピンと位置決め孔が視認しづらい場合には特に、ハンドクレーン等でシート本体を支持しつつ位置決めピンを位置決め孔内に挿入するのに難渋するという問題があった。
【０００６】
そこで、本発明はこのような課題を解決するもので、位置決めピンや位置決め孔等の位置決め部材が視認しづらい状態で、ハンドクレーン等でシート本体を支持している場合でも、シート本体側の位置決め部材を車両ボデー側の位置決め部材に容易に嵌合させて、シート本体を車室内へ据え付ける際にこれを迅速かつ適正に位置決めすることができる車両用シートの位置決め構造を提供することを目的とする。
【課題を解決するための手段】
【０００７】
上記目的を達成するために、本第１発明では、シート本体（Ｓ）側と車両ボデー側とにそれぞれ設けられて互いに嵌合可能な位置決め部材（１４，５）と、車室の室壁（Ｗ）に設けられて当該室壁（Ｗ）に向かう方向へのシート本体（Ｓ）の移動を規制することにより当該方向でシート本体（Ｓ）を位置決めする位置決め部（２）と、室壁（Ｗ）に向かう方向で位置決めされたシート本体（Ｓ）側の位置決め部材（１４）を、室壁（Ｗ）に沿った所定の範囲内での移動を許容しつつ、車両ボデー側の位置決め部材（５）に向けて案内する案内部（３）とを備える。  
【０００８】
本第１発明において、シート本体を据え付ける場合には、シート本体を室壁に沿って下降させて、シート本体の側面を位置決め部に当接させてシート本体を室壁に向かう方向で位置決めし、この状態で、案内部によってシート本体側位置決め部材を室壁に沿う方向へ案内して車両ボデー側位置決め部材に嵌合させる。これにより、シート本体は室壁に向かう方向と、これに直交する室壁に沿う方向で位置決めされる。この後、シートレッグの必要部を車両ボデーに固定してシート本体を据え付ける。  
【０００９】
本第２発明では、シート本体（Ｓ）のシートレッグ（１）の下面に突設された位置決めピン（１４）と、車室の室壁（Ｗ）に突設されてシートレッグ（１）の側面を当接させ、当該シートレッグ（１）を室壁（Ｗ）に直交する方向で位置決めする位置決め部（２）と、車両ボデー側に設けられて室壁（Ｗ）に沿う方向へ延び、当該室壁（Ｗ）に直交する方向で位置決めされたシートレッグ（１）の位置決めピン（１４）を、これが嵌入する位置決め孔（５）に向けて室壁（Ｗ）に沿う方向で案内する案内部（３）とを備える。  
【００１０】
本第２発明において、シート本体を据え付ける場合には、シート本体を室壁に沿って下降させて、シートレッグの側面を位置決め部に当接させてシート本体を室壁に直交する方向で位置決めし、この状態で、案内部によって位置決めピンを室壁に沿う方向へ案内して位置決め孔内に進入させて、シートレッグを位置決めする。この後、シートレッグの必要部を車両ボデーに固定してシート本体を据え付ける。
【００１１】
本第３発明では、上記案内部（３）は外周縁にガイド壁（３１）を形成した開放容器状に成形されて、ガイド壁（３１）に囲まれた底面を、位置決めピン（１４）の先端を当接させるガイド面（３ａ）となし、かつ位置決め孔（５）を、ガイド面（３ａ）に開口させる。
【００１２】
なお、上記カッコ内の符号は、後述する実施形態に記載の具体的手段との対応関係を示すものである。
【発明の効果】
【００１３】
以上のように、本発明の車両用シートの位置決め構造によれば、位置決めピン等が視認しづらい状態で、細かい動きが困難なハンドクレーン等でシート本体を支持している場合でも、シートレッグに設けた位置決めピンを位置決め孔内に容易に挿入することができるから、シート本体を迅速かつ適正に位置決めして車室内へ据え付けることができる。
【発明を実施するための最良の形態】
【００１４】
図１には、横跳ね上げ収納式の車両用シートを車室内へ据え付ける場合の、本発明の位置決め構造の一例を示す。図１において、車両用シートのシート本体ＳはシートクッションＳ１の一側下面に折り畳み式の板状シートレッグＬが起立姿勢で設けられを、一方、シートクッションＳ１の他側側面は、外周にコイルバネ（図示略）を配設したシートレッグ１の跳ね上げ用旋回軸１１に結合されている。シートレッグ１は、上記旋回軸１１を両端で支持するＬ型ブラケット１２と、これらブラケット１２を結合する略コ字断面のフレーム１３を備えている。そして、フレーム１３の略中央下面に位置決めピン１４が突設されている。
【００１５】
一方、車両ボデー側には室壁Ｗに位置決め部２が突出形成されているとともに、ホイールハウス頂面に設けた板状ブラケット（図示略）に案内部３が設置されている。位置決め部２は室壁Ｗの車両前後方向の二箇所に形成されており、これら位置決め部２の間隔は、シートレッグ１のブラケット１２の間隔に等しくしてある。
【００１６】
位置決め部２の詳細を図２に示す。図２は同一構造とした位置決め部２の一方を示すもので、室壁Ｗを構成する樹脂トリム２１の一部を車内方向へ一定幅で突出させてある。位置決め部２には上下方向へ延びる強化リブ２２が形成されるとともに、その上半２３は、下方へ向けて漸次車内方向へ突出する傾斜面となり、下半２４は上半２３に連続する垂直面となっている。
【００１７】
上記案内部３は図１に示すように、樹脂材を長方形の開放容器状に成形したもので、案内部３の外周縁には一定高さのガイド壁３１が形成されている（図１、図３）。そして、ガイド壁３１で囲まれた容器底面は平面状のガイド面３ａになっている。案内部３の長手方向の中央には下方へ突出する円筒壁３２が形成されて、当該円筒壁３２が、ホイールハウス頂面に設けた板状ブラケット４１（図３、図４）の取付穴４１１内に嵌着してある。円筒壁３２の内空間は上下に貫通する位置決め孔５となっており、その内径はシートレッグ１のフレーム１３に設けた上記位置決めピン１４の外径にほぼ等しくしてある。ガイド面３ａに開口する位置決め孔５の周縁はラッパ状に拡開傾斜する導入面３３となっている。
【００１８】
このような位置決め構造を使用して車両用シートを据え付ける場合には、ハンドクレーンで支持させたシート本体Ｓを室壁Ｗに沿って下降させて、シートレッグ１の前後のブラケット１２の側面を、室壁トリム２１に形成した前後の位置決め部２の上半傾斜面２３に当接させ、この状態で上半傾斜面２３に沿って下半垂直面２４まで移動させる。これによりシート本体Ｓは室壁Ｗに直交する方向で位置決めされる。この状態で、シートレッグ１のフレーム１３に設けた位置決めピン１４は、案内部３のガイド面３ａ上に位置するようになる。
【００１９】
そこで、位置決めピン１４の先端をガイド面３ａに当接させ、この状態でガイド壁３１によって規制させつつ位置決めピン１４を室壁Ｗに沿う前後方向へ移動させると、位置決めピン１４先端が導入面３３に至り、その傾斜面によって位置決め孔５内へ案内挿入される。これによりシートレッグ１が位置決めされ、前後のブラケット１２の取付孔１２１（図１、図２）がホイールハウス頂面に設けた板状ブラケット４２（図２）の取付孔（図示略）に一致するから、これら取付孔１２１内にボルトを挿入して上記シートレッグ１を固定する。なお、同時に、フレーム１３はブラケット４１（図３）にボルト４３で固定される。このようにしてシート本体Ｓを迅速かつ適正に位置決めして、車室内へ据え付けることができる。
【００２０】
なお、図５に示すように、案内部３のガイド面３ａを、長手方向の両端から位置決め孔５に向けて漸次下降するような面に形成すれば、シート本体の自重を利用して、位置決め孔５内への位置決めピン１４の案内がさらにスムーズになされる。
【図面の簡単な説明】
【００２１】
【図１】本発明の一実施形態を示す、横跳ね上げ収納式の車両用シートを車室内へ据え付ける場合の位置決め構造の斜視図である。
【図２】位置決め部の詳細を示す斜視図である。
【図３】案内部の垂直断面図で、図１のIII−III線に沿った断面図である。
【図４】図３のIV−IV線に沿った案内部の垂直断面図である。
【図５】案内部の他の例を示す垂直断面図である。
【図６】従来例を示す、横跳ね上げ収納式の車両用シートを車室内へ据え付ける場合の位置決め構造の斜視図である。
【符号の説明】
【００２２】
１…シートレッグ、１４…位置決めピン、３…案内部、３ａ…ガイド面、３１…ガイド壁、５…位置決め孔、Ｓ…シート本体、Ｗ…車室。
【図１】
2008062721.tif 000003
【図２】
2008062721.tif 000004
【図３】
2008062721.tif 000005
【図４】
2008062721.tif 000006
【図５】
2008062721.tif 000007
【図６】
2008062721.tif 000008